(57)【要約】【課題】導電バーの形状を単純化することができ、工具を使用せずに簡単に取り付け時の導電バー接続作業や電圧切り替え作業ができ、また、１台の施工で２台分の取り付けができ、分電盤の縦寸法を小さくすることができる回路遮断器を提供する。【解決手段】回路遮断器１はハウジング２の底面２ａの前後に３つの左右方向の溝３を切り欠き形成し、溝内に単相３線式電路の導電バー４ａ，４ｂ，４ｃを挟持接続するプラグイン形式の電源側端子５ａ，５ｂ，５ｃを備え、前面２ｂ及び背面２ｃの双方に２つの負荷側端子６ａ，６ｂ、６ｃ，６ｄを備え、上面に夫々の負荷側端子６ａ，６ｂ、６ｃ，６ｄの電路を開閉操作する２つの操作ハンドル７ａ，７ｂを備え、左右側面２ｅ，２ｆに夫々の負荷側端子６ａ，６ｂ、６ｃ，６ｄの電路に流れる電圧を切り替える２つのスイッチ８ａ，８ｂを設けている。【選択図】　　　　図１
2004087240.tif 000002
【特許請求の範囲】
【請求項１】
ハウジングの底面の前後に３つの左右方向の溝を切り欠き形成し、該溝内に単相３線式電路の導電バーを挟持接続するプラグイン形式の電源側端子を備え、前面及び背面の双方に負荷側端子を備え、上面に夫々の負荷側端子の電路を開閉操作する２つの操作ハンドルを備えた分岐回路用の回路遮断器において、前記夫々の負荷側端子の電路に流れる電圧を切り替える２つのスイッチを設けたことを特徴とする回路遮断器。
【請求項２】
前記２つのスイッチは前記電源側端子の左右方向を２分して一方側と他方側に夫々設けられ、電圧極の電源側端子の１つと中性極の電源側端子間の上面を摺動する端子板と、該端子板を上下動可能に保持する支持体と、前記端子板を前記電源側端子に圧接するために前記端子板の上面と前記支持体の突片との間に配設された圧接バネと、前記支持体に嵌合して設けられて前記端子板の位置を前記電圧極の電源側端子又は前記中性極の電源側端子に選択操作するために前記ハウジングの外面に露出するスライド式のツマミとで成ることを特徴とする請求項１に記載の回路遮断器。
【請求項３】
前記３つの電源側端子のうちで中央の電源側端子の左右方向の中間部に溝孔を穿設し、該溝孔に切替規制板の脚部を嵌挿し、前記電源側端子に前記導電バーを差込接続して前記切替規制板の上端に配設したバネの力に抗して前記切替規制板が押し上げられた際は前記切替規制板の上端の腕部が前記スイッチの支持体の係止突起に係止して前記スイッチの操作をできないようにし、前記電源側端子から前記導電バーを取り外して前記切替規制板がバネの力によって押し下げられた際は前記切替規制板の腕部と前記スイッチの係止突起の係止が解除して前記スイッチを操作可能にしたことを特徴とする請求項２に記載の回路遮断器。
【発明の詳細な説明】
【０００１】
【発明の属する技術分野】
本発明は、単相３線式分電盤の分岐回路に用いられる回路遮断器の電圧を切り替えるための構造に関する。
【０００２】
【従来の技術】
従来、図６及び図７に示すように単相３線式分電盤３６の分岐回路に用いられる回路遮断器２１はハウジング２２の背面２２ｃに２つの電源側端子２５ａ，２５ｂが設けられ、前面２２ｂに２つの負荷側端子２６ａ，２６ｂが設けられ、上面２２ｄに電路を開閉操作する操作ハンドル２７が設けられている。回路遮断器２１は単相３線式分電盤３６の主幹ブレーカ３７の２次側に接続された３本の主幹導電バー２４ａ，２４ｂ，２４ｃを挟んで両側に複数並設され、主幹導電バー２４ａ，２４ｂ，２４ｃから短手方向に延びる分岐導電バー３８ａ，３８ｂを電源側端子２５ａ，２５ｂに挿入し螺着して接続されている。主幹導電バー２４ａ，２４ｂ，２４ｃから分岐した２本１組の分岐導電バーの一方３８ａは電圧極の主幹導電バー２４ａ若しくは２４ｃと一体に形成され、分岐導電バーの他方３８ｂは取り外し可能で、分岐導電バーの一方３８ａが形成されていない電圧極の主幹導電バー２４ｃ，２４ａ又は中性極の主幹導電バー２４ｂのどちらかに選択的に螺着固定され、回路遮断器２１の電圧を１００Ｖから２００Ｖ又は２００Ｖから１００Ｖに切り替えるにはこの他方の分岐導電バー３８ｂを一旦取り外して接続する主幹導電バーを切り替えることにより行っていた。
【０００３】
【発明が解決しようとする課題】
しかしながら、従来の方法では導電バーの形状が複雑になるし、分岐導電バーは主幹導電バー及び回路遮断器とネジで接続されているのでドライバー等の工具を用意したり、ネジを落としたりすることがあるため、取り付け時の接続作業及び電圧切り替え作業が面倒であり、更にネジの増し締めを定期的に行わなければならないという欠点があった。また、単相３線式分電盤は主幹導電バーと分岐導電バーを配置するためのスペースを必要とするため、分電盤の縦寸法が大きくなっていた。
【０００４】
そこで上記問題点に鑑み、本発明の目的は、導電バーの形状を単純化することができ、工具を使用せずに簡単に取り付け時の導電バー接続作業や電圧切り替え作業ができ、また、１台の施工で２台分の取り付けができ、分電盤の縦寸法を小さくすることができる回路遮断器を提供することである。
【０００５】
【課題を解決するための手段】
上記目的を達成するために、請求項１に記載の発明によれば、ハウジングの底面の前後に３つの左右方向の溝を切り欠き形成し、溝内に単相３線式電路の導電バーを挟持接続するプラグイン形式の電源側端子を備え、前面及び背面の双方に負荷側端子を備え、上面に夫々の負荷側端子の電路を開閉操作する２つの操作ハンドルを備えた分岐回路用の回路遮断器において、夫々の負荷側端子の電路に流れる電圧を切り替える２つのスイッチを設けたことを特徴とする。
【０００６】
請求項２に記載の発明によれば、請求項１に記載の回路遮断器において、２つのスイッチは電源側端子の左右方向を２分して一方側と他方側に夫々設けられ、電圧極の電源側端子の１つと中性極の電源側端子間の上面を摺動する端子板と、端子板を上下動可能に保持する支持体と、端子板を電源側端子に圧接するために端子板の上面と支持体の突片との間に配設された圧接バネと、支持体に嵌合して設けられて端子板の位置を電圧極の電源側端子又は中性極の電源側端子に選択操作するためにハウジングの外面に露出するスライド式のツマミとで成ることを特徴とする。
【０００７】
請求項３に記載の発明によれば、請求項２に記載の回路遮断器において、３つの電源側端子のうちで中央の電源側端子の左右方向の中間部に溝孔を穿設し、溝孔に切替規制板の脚部を嵌挿し、電源側端子に導電バーを差込接続して切替規制板の上端に配設したバネの力に抗して切替規制板が押し上げられた際は切替規制板の上端の腕部がスイッチの支持体の係止突起に係止してスイッチの操作をできないようにし、電源側端子から導電バーを取り外して切替規制板がバネの力によって押し下げられた際は切替規制板の腕部とスイッチの係止突起の係止が解除してスイッチを操作可能にしたことを特徴とする。
【０００８】
【発明の実施の形態】
請求項１に記載の発明によれば、ハウジングの底面の前後に３つの左右方向の溝を切り欠き形成し、溝内に単相３線式電路の導電バーを挟持接続するプラグイン形式の電源側端子を備え、前面及び背面の双方に負荷側端子を備え、上面に夫々の負荷側端子の電路を開閉操作する２つの操作ハンドルを備えた分岐回路用の回路遮断器において、夫々の負荷側端子の電路に流れる電圧を切り替える２つのスイッチを設けたことにより、導電バーの形状を単純化することができ、工具を使用せずに簡単に取り付け時の導電バー接続作業や電圧切り替え作業ができ、また、１台の施工で２台分の取り付けができ、分電盤の縦寸法を小さくすることができる。
【０００９】
請求項２に記載の発明によれば、請求項１に記載の回路遮断器において、２つのスイッチは電源側端子の左右方向を２分して一方側と他方側に夫々設けられ、電圧極の電源側端子の１つと中性極の電源側端子間の上面を摺動する端子板と、端子板を上下動可能に保持する支持体と、端子板を電源側端子に圧接するために端子板の上面と支持体の突片との間に配設された圧接バネと、支持体に嵌合して設けられて端子板の位置を電圧極の電源側端子又は中性極の電源側端子に選択操作するためにハウジングの外面に露出するスライド式のツマミとで成ることにより、各極１つの電源側端子に２回路の電圧切り替え構造を備えることができる。
【００１０】
請求項３に記載の発明によれば、請求項２に記載の回路遮断器において、３つの電源側端子のうちで中央の電源側端子の左右方向の中間部に溝孔を穿設し、溝孔に切替規制板の脚部を嵌挿し、電源側端子に導電バーを差込接続して切替規制板の上端に配設したバネの力に抗して切替規制板が押し上げられた際は切替規制板の上端の腕部がスイッチの支持体の係止突起に係止してスイッチの操作をできないようにし、電源側端子から導電バーを取り外して切替規制板がバネの力によって押し下げられた際は切替規制板の腕部とスイッチの係止突起の係止が解除してスイッチを操作可能にしたことにより、回路遮断器を導電バーから取り外した状態でしか電圧切り替えができないようにし、電圧切り替え時の電圧変動や極間短絡による負荷機器の破壊や故障を防止することができる。
【００１１】
【実施例】
本発明に係る回路遮断器の一実施例を図１〜図５の添付図面に基づいて説明する。
【００１２】
単相３線式分電盤の分岐回路に用いられる回路遮断器１はハウジング２の底面２ａの前後に３つの左右方向の溝３を切り欠き形成し、溝内に単相３線式電路の導電バー４ａ，４ｂ，４ｃを挟持接続するプラグイン形式の電源側端子５ａ，５ｂ，５ｃが設けられ、前面２ｂ及び背面２ｃの双方に２つの負荷側端子６ａ，６ｂと６ｃ，６ｄが設けられ、上面２ｄの前後に各電路を開閉操作する２つの操作ハンドル７ａ，７ｂが設けられている。前方の操作ハンドル７ａは前面２ｂの負荷側端子６ａ，６ｂの電路を開閉操作可能とし、後方の操作ハンドル７ｂは背面２ｃの負荷側端子６ｃ，６ｄの電路を開閉操作可能としている。電源側端子５ａ，５ｂ，５ｃは中央を中性極とし、前側と後側を電圧極としている。
【００１３】
また、ハウジング２の左右側面２ｅ，２ｆには負荷側端子６ａ，６ｂと負荷側端子６ｃ，６ｄの各電路に流れる電圧を切り替えるスイッチ８ａ，８ｂが夫々設けられている。スイッチ８ａ，８ｂは略コ字状の電源側端子５ａ，５ｂ，５ｃの左右方向を２分して一方側と他方側に夫々設けられ、電圧極の電源側端子５ａ，５ｃのうち１つと中性極の電源側端子５ｂ間の上面を摺動する端子板９と、端子板９を上下動可能に保持する支持体１０と、端子板９を電源側端子５ａ，５ｂ，５ｃに圧接する圧接バネ１１と、端子板９の位置を電圧極の電源側端子５ａ，５ｃ又は中性極の電源側端子５ｂに選択操作するためにハウジング２の側面２ｅ，２ｆに露出するスライド式のツマミ１２とで成っている。
【００１４】
端子板９は略Ｌ字状に形成され、電源側端子５ａ，５ｂ，５ｃとの摺接部９ａの両端はスムーズに端子間を移動できるようにテーパーが形成されている。支持体１０は端子板９の垂板部９ｂを嵌挿部１０ａに嵌挿させて端子板９を上下動可能に保持し、嵌挿部１０ａの上下方向の中間に突片１０ｂが形成され、上端に２本の係止突起１０ｃが突設されている。また、端子板９の垂板部９ｂには四角形状の係合孔９ｃが形成され、支持体１０にもこの端子板９の係合孔９ｃと対向する係合孔１０ｄが形成され、これらの係合孔９ｃ，１０ｄにツマミ１２の裏面に突設された弾性係合部１２ａを係合させてツマミ１２が取り付けられている。そして、端子板９の摺接部９ａの上面と支持体１０の突片１０ｂとの間に圧接バネ１１を嵌め込むことによりスイッチ８ａ，８ｂが組み立てられている。尚、端子板９を上下動可能にするため、端子板９の係合孔９ｃの縦寸法はツマミ１２の弾性係合部１２ａの縦寸法よりも大きく形成されている。
【００１５】
スイッチ８ａ，８ｂをハウジング２に組み込んだ際、スイッチ８ａ，８ｂのツマミ１２はハウジング２の側面２ｅ，２ｆに形成された凹部１３内を移動するように設けられる。これによって電源側端子５ａ，５ｂ，５ｃの左側に配置されたスイッチ８ａは電圧極の電源側端子５ｃと中性極の電源側端子５ｂ間だけを移動するように規制され、電源側端子５ａ，５ｂ，５ｃの右側に配置されたスイッチ８ｂは電圧極の電源側端子５ａと中性極の電源側端子５ｂ間だけを移動するように規制されている。
【００１６】
こうして形成されたスイッチ８ａ，８ｂは、スイッチ８ａが端子板９と電圧極の電源側端子５ａとに電線１４を接続してハウジング２の前面２ｂの負荷側端子６ａ，６ｂの電路に接続されて電圧を切り替え可能にし、スイッチ８ｂが端子板９と電圧極の電源側端子５ｃとに電線１４を接続してハウジング２の背面２ｃの負荷側端子６ｃ，６ｄの電路に接続されて電圧を切り替え可能にしている。スイッチ８ａはツマミ１２が中性極の電源側端子５ｂ側に切り替えられている際は電路に１００Ｖの電圧が通電され、ツマミ１２が電圧極の電源側端子５ｃ側に切り替えられている際は２００Ｖの電圧が通電されている。また、スイッチ８ｂはツマミ１２が中性極の電源側端子５ｂ側に切り替えられている際は電路に１００Ｖの電圧が通電され、ツマミ１２が電圧極の電源側端子５ａ側に切り替えられている際は２００Ｖの電圧が通電されている。
【００１７】
また、３つの電源側端子５ａ，５ｂ，５ｃのうちで中央に配置された中性極の電源側端子５ｂは、左右方向の中間部に溝孔１５が穿設され、この溝孔１５に切替規制板１６が幅寸法の小さくなった脚部１６ａを挿入させて取り付けられている。切替規制板１６の上端にはバネ固定突起１６ｂにバネ１７が嵌められて取り付けられており、このバネ１７の他端はハウジング２内に組み込まれた他の部材等に係止され、バネ１７によって切替規制板１６を電源側端子５ｂ側に付勢している。回路遮断器１の電源側端子５ｂに導電バー４ｂを差込接続すると導電バー４ｂが切替規制板１６の脚部１６ａを押すので切替規制板１６はバネ１７の力に抗して押し上げられ、回路遮断器１の電源側端子５ｂから導電バー４ｂを取り外すと切替規制板１６はバネ１７の力によって押し下げられる構造になっている。切替規制板１６の上端の左右両面には腕部１６ｃが突設されており、電源側端子５ｂに導電バー４ｂを接続して切替規制板１６が押し上げられている際は、切替規制板１６の腕部１６ｃがスイッチ８ａ，８ｂの支持体１０の係止突起１０ｃに係止してスイッチ８ａ，８ｂの操作ができないようにされ、電源側端子５ｂから導電バー４ｂの接続を取り外して切替規制板１６が押し下げられている際は、切替規制板１６の腕部１６ｃとスイッチ８ａ，８ｂの支持体１０の係止突起１０ｃとの係止が解除してスイッチ８ａ，８ｂを操作できるようになっている。これによって回路遮断器１を導電バー５ａ，５ｂ，５ｃから取り外した状態でしか電圧切り替えができないので、電圧切り替え時の電圧変動や極間短絡による負荷機器の破壊や故障を防止することができる。
【００１８】
【発明の効果】
以上説明したように請求項１に記載の発明によれば、ハウジングの底面の前後に３つの左右方向の溝を切り欠き形成し、溝内に単相３線式電路の導電バーを挟持接続するプラグイン形式の電源側端子を備え、前面及び背面の双方に負荷側端子を備え、上面に夫々の負荷側端子の電路を開閉操作する２つの操作ハンドルを備えた分岐回路用の回路遮断器において、夫々の負荷側端子の電路に流れる電圧を切り替える２つのスイッチを設けたことにより、電源側端子の形状がプラグイン形式なので導電バーの形状を単純化することができ、工具を使用せずに簡単に取り付け時の導電バー接続作業や電圧切り替え作業ができ、また、１台の施工で２台分の取り付けができ、導電バーの配置スペースを削減できるので分電盤の縦寸法を小さくすることができるという効果がある。
【００１９】
請求項２に記載の発明によれば、請求項１に記載の回路遮断器において、２つのスイッチは電源側端子の左右方向を２分して一方側と他方側に夫々設けられ、電圧極の電源側端子の１つと中性極の電源側端子間の上面を摺動する端子板と、端子板を上下動可能に保持する支持体と、端子板を電源側端子に圧接するために端子板の上面と支持体の突片との間に配設された圧接バネと、支持体に嵌合して設けられて端子板の位置を電圧極の電源側端子又は中性極の電源側端子に選択操作するためにハウジングの外面に露出するスライド式のツマミとで成ることにより、各極１つの電源側端子に２回路の電圧切り替え構造を備えることができるという効果がある。
【００２０】
請求項３に記載の発明によれば、請求項２に記載の回路遮断器において、３つの電源側端子のうちで中央の電源側端子の左右方向の中間部に溝孔を穿設し、溝孔に切替規制板の脚部を嵌挿し、電源側端子に導電バーを差込接続して切替規制板の上端に配設したバネの力に抗して切替規制板が押し上げられた際は切替規制板の上端の腕部がスイッチの支持体の係止突起に係止してスイッチの操作をできないようにし、電源側端子から導電バーを取り外して切替規制板がバネの力によって押し下げられた際は切替規制板の腕部とスイッチの係止突起の係止が解除してスイッチを操作可能にしたことにより、回路遮断器を導電バーから取り外した状態でしか電圧切り替えができないようにし、電圧切り替え時の電圧変動や極間短絡による負荷機器の破壊や故障を防止することができるという効果がある。
【図面の簡単な説明】
【図１】本発明に係る回路遮断器の外観斜視図である。
【図２】本発明に係る回路遮断器の電圧切り替え構造を示す斜視図である。
【図３】本発明に係る回路遮断器の一方側のスイッチと切替規制板を中性極の電源側端子に組み付ける様子を示す斜視図である。
【図４】本発明に係る回路遮断器の一方側のスイッチと切替規制板を中性極の電源側端子に組み付けた状態をしめす斜視図である。
【図５】本発明に係る回路遮断器の内部配線を示す図である。
【図６】従来の回路遮断器を組み込んだ単相３線式分電盤を示す正面図である。
【図７】従来の回路遮断器と導電バーの電圧切り替え構造を示す斜視図である。
【符号の説明】
１…回路遮断器
２…ハウジング
３…溝
４ａ，４ｂ，４ｃ…導電バー
５ａ，５ｃ…電圧極の電源側端子
５ｂ…中性極の電源側端子
６ａ〜６ｄ…負荷側端子
７ａ，７ｂ…操作ハンドル
８ａ，８ｂ…スイッチ
９…端子板
１０…支持体
１１…圧接バネ
１２…ツマミ
１５…溝孔
１６…切替規制板
１７…バネ
【図１】
2004087240.tif 000003
【図２】
2004087240.tif 000004
【図３】
2004087240.tif 000005
【図４】
2004087240.tif 000006
【図５】
2004087240.tif 000007
【図６】
2004087240.tif 000008
【図７】
2004087240.tif 000009